(57)【要約】【課題】短時間で確実に被験者の指紋等の生体情報の読取を行う生体情報読取装置を提供する。【解決手段】指紋読取システム１は、指載置位置に置かれた指１００の第１関節より先の部分から生体情報の読取を行う生体情報読取手段（指紋読取手段）１３と、指１００が指載置位置２２に置かれたことを認識する指認識手段１１と、指載置位置に置かれた指１００の第１関節より先の部分に当たるように設けられた軟性部材１２４を備え、指認識手段１１により指１００の載置が認識された場合、指１００の第１関節より先の部分に予め定められた圧力を上方から下方に向けて加えて、指１００の第１関節より先の指腹部分を生体情報読取手段１３に押しつける指先加圧手段１２１とを備える。【選択図】図２
2005099992.tif 000002
【特許請求の範囲】
【請求項１】
指載置位置に置かれた指の第１関節より先の部分から生体情報の読取を行う生体情報読取手段と、
指が前記指載置位置に置かれたことを認識する指認識手段と、
指載置位置に置かれた指の第１関節より先の部分に当たるように設けられた軟性部材を備え、前記指認識手段により指の載置が認識された場合、指の第１関節より先の部分に予め定められた圧力を上方から下方に向けて加えて、指の第１関節より先の指腹部分を前記生体情報読取手段の方向に押しつける指先加圧手段とを備える
ことを特徴とする生体情報読取装置。
【請求項２】
当該生体情報読取装置が、更に、
前記指先加圧手段の軟性部材の内部に気体又は液体を注入する注入手段を備え、
前記指先加圧手段が、その内部に気体又は液体を前記注入手段により注入されて膨張した軟性部材により、指の第１関節より先の部分に圧力を加える
ことを特徴とする請求項１記載の生体情報読取装置。
【請求項３】
当該生体情報読取装置が、更に、
前記生体情報読取手段により生体情報が読み取られた場合、前記指先加圧手段の軟性部材の内部の気体又は液体を排出する排出手段とを備える
ことを特徴とする請求項２記載の生体情報読取装置。
【請求項４】
当該生体情報読取装置が、更に、
前記指先加圧手段の軟性部材の内圧を測定する内圧測定手段を備え、
前記内圧測定手段により前記指先加圧手段の軟性部材の内部が予め定められた内圧になったことが測定された場合、前記注入手段が前記指先加圧手段の軟性部材の内部への気体又は液体の注入を停止する
ことを特徴とする請求項２記載の生体情報読取装置。
【請求項５】
当該生体情報読取装置が、更に、
前記指載置位置の下方に設置され、前記指先加圧手段によって下方に押しつけられた指の第１関節より先の部分による圧力を測定する圧力測定手段を備え、
前記圧力測定手段により前記指の第１関節より先の部分による圧力が予め定められた圧力に達したことが測定された場合、前記注入手段が前記指先加圧手段の軟性部材の内部への気体又は液体の注入を停止する
ことを特徴とする請求項２記載の生体情報読取装置。
【請求項６】
前記指先加圧手段が、更に、
前記軟性部材をその下方に取り付けられた支え板と、
前記指認識手段により指の載置が認識された場合、前記支え板を垂直方向に押し下げる支え板制御手段と、
前記指載置位置の下方に設置され、前記指先加圧手段によって下方に押しつけられた指の第１関節より先の部分による圧力を測定する圧力測定手段とを備え、
前記圧力測定手段により前記指の第１関節より先の部分による圧力が予め定められた圧力に達したことが測定された場合、前記支え板制御手段が前記支え板の押し下げを停止する
ことを特徴とする請求項１記載の生体情報読取装置。
【発明の詳細な説明】
【技術分野】
【０００１】
本発明は、生体情報読取装置に関し、特に、短時間で確実に被験者の指紋等の生体情報の読取を行う生体情報読取装置に関する。
【背景技術】
【０００２】
指紋読取装置等の生体情報読取装置においては、通常、光学スキャナ上の所定の位置に押し付けられた被験者の指から、その指紋の画像等の生体情報を検出する。この時、例えば、図６に示すように、指紋読取装置の壁（ハウジング）５００に設置された指紋読取部５０１（の圧版）上の所定の位置に被験者が指５０２を置き、押しつける。そして、指紋を読取るために必要な圧力が指紋読取部５０１にかかると、指紋読取部５０１が被験者の指５０２の指紋を読取る。
【０００３】
しかし、このような指紋の検出方法は、被験者にとって不便である。例えば、被験者が指紋読取部５０１の上に指５０２を置いて、押下しなければ指紋を検出できず、不便である。また、指紋読取部５０１の上に指５０２を長時間同一姿勢で置いておかなければらないので煩わしく、指５０２が痛くなる場合もある。また、被験者が指５０２に一定の力を入れて押すため指５０２の位置がずれる場合や、当該圧力を一定にできないために検出に時間がかかったり読取エラーが発生し易くなる場合がある。更に、被験者が指紋等の情報の採取に非協力的な場合もある。例えば、被験者が指５０２を指紋読取部５０１に押し付けることなく軽く置く程度の場合には、指紋読取に必要な圧力が指紋読取部５０１上に加えられないため、指紋読取に長時間を要したり、エラーが発生することが多くなる。
【０００４】
そこで、指紋読取装置において、正確に被験者の指紋を読み取る技術が提案されている。例えば、特許文献１に記載された技術によれば、指が指紋読取装置に挿入されると、指をバルーン部材の膨張により３方向から拘束し固定した上で指紋を読み取ることにより、指紋の読取に非協力的な被験者からも、正確に指紋を読み取る。
【特許文献１】特開２００３−５８８７０号公報
【発明の開示】
【発明が解決しようとする課題】
【０００５】
特許文献１によれば、バルーン部材により拘束される部位は指の中間である。即ち、第１関節から根元の近傍までの範囲である。従って、指先（第１関節から先）は直接にはバルーン部材による圧力を受けず、また、拘束されない。このため、バルーン部材によって、指は有効に拘束されるものの、指紋を読み取る対象となる指先は十分に拘束されていないと考えられる。従って、被験者が意図的に指紋を読み取る対象となる指先を動かせる（又は、意図せずに動いてしまう）可能性がある。また、同様の理由から、被験者が意図的に指先を指紋読取装置に押し付けないようにする可能性がある。このような場合には、指紋の読取に時間がかかったり、読取エラーが発生したりする。
【０００６】
本発明は、短時間で確実に被験者の指紋等の生体情報の読取を行う生体情報読取装置を提供することを目的とする。
【課題を解決するための手段】
【０００７】
本発明の生体情報読取装置は、指載置位置に置かれた指の第１関節より先の部分から生体情報の読取を行う生体情報読取手段と、指が前記指載置位置に置かれたことを認識する指認識手段と、指載置位置に置かれた指の第１関節より先の部分に当たるように設けられた軟性部材を備え、前記指認識手段により指の載置が認識された場合、指の第１関節より先の部分に予め定められた圧力を上方から下方に向けて加えて、指の第１関節より先の指腹部分を前記生体情報読取手段の方向に押しつける指先加圧手段とを備える。
【発明の効果】
【０００８】
本発明の生体情報読取装置によれば、指の中間（第１関節から根元の近傍までの範囲）ではなく、指紋等の生体情報を読み取る対象となる指先（第１関節から先）が確実に固定され、かつ、読取に十分な圧力を１方向のみに加えることができる。これにより、被験者が意図的に指先を動かそうとしても、又は、意図せずに動いてしまいそうになっても、動かないようにすることができ、かつ、読取に適切な圧力を指を押し付けるように加えることができる。従って、被験者が指を一定の力で押し下げることを意識しなくても、又は、非協力的な被験者が意図的に指先を生体情報読取手段に押し付けないようにしようとしても、その指先を一定の姿勢で固定させ、一定の圧力で押し下げさせることができる。この結果、指紋等の生体情報の検出時間を短くすることができ、生体情報の読取エラーを減らすことができる。
【発明を実施するための最良の形態】
【０００９】
図１及び図２は、生体情報読取装置構成図であり、本発明の生体情報読取装置の構成の一例を示す。特に、図１は生体情報読取装置のブロック図を示し、図２は生体情報読取装置の断面の概略構成を示す。
【００１０】
この例の生体情報読取装置１は、生体情報として、人間の指（指先）の指紋を読み取る指紋読取システムである（以下、指紋読取システム１と言う）。また、この例では、後述するように、指先加圧手段１２１の実際の加圧手段として、風船のように気体（又は液体）を注入すると膨張する軟性部材１２４を用いる。なお、図２（及び図４）において、点線は、気体注入排出手段１２３により指先加圧手段１２１の軟性部材１２４に注入される気体等の流路（排出は逆向きの流路となる）を示す。
【００１１】
指紋読取システム１は、被験者の指紋を検出する指紋読取装置１０、指紋読取装置１０が検出した指紋データを保存し処理するデータ処理装置１４からなる。指紋読取装置１０は、指認識手段１１、内圧測定・気体注入排出部１２、生体情報読取手段である指紋読取手段１３からなる。これらは指紋読取装置１０の筐体（ハウジング）２０の内部に設けられる。内圧測定・気体注入排出部１２は、指先加圧手段１２１、内圧測定手段１２２、注入手段及び排出手段である気体注入排出手段１２３からなる。
【００１２】
この例では、指紋読取装置１０の筐体２０の側面に、被験者が指１００を挿入するための壁穴２００が設けられる。従って、被験者は指１００を指載置位置２２の上に置くことはできず、壁穴２００に挿入することになり、これにより、指１００はある程度固定される。壁穴２００は、その内部が四角柱形の空洞とされる。壁穴２００の奥行き（指１００の挿入方向）は、指１００の第１関節の位置（その平均値）よりもやや長く、第２関節の位置（その平均値）よりも短くされる。これにより、指認識手段１１により指１００が認識された場合、確実に指１００の第１関節より先の部分について、指紋読取の対象とすることができる。壁穴２００の幅（紙面に垂直方向）は、指１００の挿入に不便が無いように、人間の指１００の寸法よりやや大きくされる。なお、四角柱の側面は指１００の形状に沿うように断面が円弧状に湾曲していても良い。壁穴２００の底面が指載置位置２２とされる。前記底面に対向する面である壁穴２００の上面には、指紋読取装置１０の筐体２０に固定された支え板２１及び軟性部材１２４が設けられる。支え板２１には、軟性部材１２４が接着等によりその片面を固定されている。
【００１３】
指認識手段１１は、指１００が指載置位置２２に置かれたことを認識する。具体的には、指認識手段１１は、指紋読取装置１０の壁穴２００内に指１００が挿入されたかを認識する。このために、指認識手段１１は、例えば周知の赤外線センサからなり、指１００の放出する赤外線（熱）を検出することにより、指１００の挿入を認識する。指認識手段１１は、指１００を検出すると、その検出信号（又は、気体注入要求）を気体注入排出手段１２３に送信する。
【００１４】
なお、当該指紋読取装置１０にこれを制御するＣＰＵ（図示せず）を設け、指認識手段１１からの検出信号を、気体注入排出手段１２３に直接送信せずにＣＰＵに送信し、ＣＰＵから気体注入排出手段１２３に送信するようにしても良い。他の信号についても同様である。また、当該ＣＰＵに代えて、データ処理装置１４により指紋読取装置１０を制御するようにしても良い。即ち、検出信号等をデータ処理装置１４に送信し、これから気体注入排出手段１２３等に送信するようにしても良い。
【００１５】
指先加圧手段１２１は、指１００の第１関節から先の部分を、指紋読取手段１３の方向、即ち上から下方向（垂直方向）へ押しつける。このために、この例では、指先加圧手段１２１は、指載置位置に置かれた指１００の第１関節より先の部分に当たるように設けられた軟性部材１２４を備える。軟性部材１２４は、壁穴２００の上面において、その長手方向（指１００の挿入方向）の全体に渡って設けられ、確実に指１００の先端を押せるようにされる。指先加圧手段１２１は、指認識手段１１により指１００の載置が認識された場合、指１００の第１関節より先の指腹部分に予め定められた圧力を上方から下方に向けて加え、指腹部分を指紋読取手段１３の方向に（指載置位置２２へ）押しつける。
【００１６】
この例では、軟性部材１２４は、その内部への気体（又は液体）の注入又は排出に従って膨張し又は収縮し、また、指に当たるとその外形に沿って変形し圧力を加える風船のような部材からなる。軟性部材１２４は、その上方への膨張を支え板２１により制限されるので、気体の注入によって下方に（指載置位置２２に向かって）膨張し、指１００の指先を下方の指載置位置２２に押し付ける。従って、指先加圧手段１２１が、注入手段である気体注入排出手段１２３により内部に気体を注入されて膨張した軟性部材１２４により、指１００の第１関節より先の部分に圧力を加える。
【００１７】
このように、本発明によれば、指紋読取手段１３により指紋を読み取る際に、指１００を上方のみから軟性部材１２４によって押さえ付けることにより、指紋読取に必要な圧力が、特に指１００の第１関節から先の指腹部分に対して、当該部分を指紋読取手段１３に押し付ける方向に加わるようにする。これにより、被験者が意識しなくても、指紋読取を行うために十分な圧力を、読取対象である指１００の第１関節から先の指腹部分に対して、読取に適切な方向に加えることができる。また、当該圧力の方向が下向きの方向のみであるので、指１００の第１関節から先の指腹部分を浮かすことができない。この結果、指紋読取時間の短縮、指紋読取率の精度の向上を実現することができる。
【００１８】
内圧測定手段１２２は、指先加圧手段１２１の軟性部材１２４の内圧を測定する。内圧測定手段１２２により指先加圧手段１２１の軟性部材１２４の内部が予め定められた内圧（指紋読取が可能な値）になったことが測定（検出）された場合、内圧測定手段１２２は、その旨を通知する制御信号（又は、指紋読取要求及び気体注入停止要求）を指紋読取手段１３及び気体注入排出手段１２３に送信する。これにより、指紋読取手段１３は指１００の指紋の読取動作を開始し、注入手段である気体注入排出手段１２３は、指先加圧手段１２１の軟性部材１２４の内部への気体の注入を停止する。
【００１９】
なお、内圧測定手段１２２を省略しても良い。軟性部材１２４の内部に注入する気体の体積と当該内圧との関係は、予め経験的に知ることができる。そこで、この場合、注入手段としての気体注入排出手段１２３は、予め定められた体積の気体を軟性部材１２４の内部に注入したら、当該注入を停止する。これにより、軟性部材１２４の内圧を予め定められた値とすることができる。
【００２０】
気体注入排出手段１２３は、注入手段として、指認識手段１１からの指１００の検出信号を受信すると、指先加圧手段１２１の軟性部材１２４の内部に気体を注入する。この注入は、軟性部材１２４の内圧が予め定められた値になるまで行われる。この値は、指紋読取手段１３が正確かつ迅速に指紋（の画像）を読み取ることができる値であり、経験的に得られる。また、気体注入排出手段１２３は、排出手段として、指紋読取手段１３により指紋（生体情報）が読み取られた場合、即ち、指先加圧手段１２１からの気体を排出させる制御信号を受信すると、指先加圧手段１２１の軟性部材１２４の内部の気体を排出する。注入（及び排出）される物質（媒体）は、空気、不活性ガス等の気体に限られず、水、油等の液体であっても良く、ジェル状の物質であっても良い。気体注入排出手段１２３は、例えばこれらの媒体を、そのコンプレッサー（図示せず）により注入し、軟性部材１２４に付随する排出バルブ（図示せず）を開くことにより排出する。排出バルブは排出の開始から所定時間（例えば、数秒）の経過により閉じられる。
【００２１】
指紋読取手段１３は、指載置位置に置かれた指１００の第１関節より先の部分から、被験者の生体情報例えば指紋（の画像）の読取を行う。指紋読取手段１３は、例えば周知の光学スキャナからなる。指載置位置２２は、例えば光学スキャナのプラテンガラスであり、十分な強度を有する。指紋読取手段１３は、指紋（の画像）を読取った後（読取に成功した後）、データ処理装置１４に対して読み取った指紋の画像データを送信するとともに、気体注入排出手段１２３に指先加圧手段１２１から気体を排出させる制御信号（又は、気体排出要求）を送信する。
【００２２】
データ処理装置１４は、例えば、パーソナルコンピュータからなり、専用の信号線３０を介して指紋読取手段１３に接続される。信号線３０は、例えばＬＡＮ（Local Area Network）等であっても良い。データ処理装置１４は、指紋読取手段１３から読み取った指紋の画像データを受信して、所定の記憶装置（図示せず）に格納（保存）する。実際には、例えば当該指紋読取装置１０が建物（又は室）の入り口に設置されているとすると、データ処理装置１４は、受信した指紋の画像データを用いて指紋のマスタファイル（図示せず）を参照して、当該被験者の認証を行って入室等を許可し、当該入室のデータ（月日、時刻等）を当該指紋の画像データと共に保存する。
【００２３】
図３は、図１に示す本発明の指紋読取システムにおける指紋読取処理（生体情報読取処理）フローの一例を示す図である。被験者が指１００を指紋読取装置１０の筐体２０の壁穴２００に挿入し指載置位置２２に置くと、これを指認識手段１１が認識し（ステップＳ１）、当該検出信号を気体注入排出手段１２３に送信する。気体注入排出手段１２３は、指認識手段１１からの指１００の検出信号を受信すると、指先加圧手段１２１の軟性部材１２４の内部に空気を注入する（ステップＳ２）。
【００２４】
軟性部材１２４の内圧を監視している内圧測定手段１２２は、当該内圧が定められた内圧より小さいかを判断する（ステップＳ３）。即ち、現在の内圧が設定された内圧よりも小さいか否かを判断する。軟性部材１２４の現在の内圧が定められた内圧より小さい場合、ステップＳ２以下を繰り返す。現在の内圧が定められた内圧と等しいか又は大きい場合、内圧測定手段１２２はその旨を通知する制御信号を指紋読取手段１３及び気体注入排出手段１２３に送信し、これに応じて、気体注入排出手段１２３が指先加圧手段１２１の軟性部材１２４の内部への気体の注入を停止し（ステップＳ４）、この後、指紋読取手段１３が指１００の指紋の読取を行う（ステップＳ５）。この時、被験者が意識することなく、又は、意図とは無関係に、指紋読取手段１３が指紋を正確かつ迅速に読取り可能な程度に、指１００の指先が指載置位置２２に押し付けられている。
【００２５】
この後、指紋読取手段１３が、指紋読取に成功したか否かを調べ（ステップＳ６）、失敗した場合、ステップＳ５を繰り返す。即ち、指紋読取をリトライする。失敗する場合としては、読取のミスの場合、被験者が不正を行っている場合等が有る。読取のミスの場合、リトライすれば読取に成功する。
【００２６】
成功した場合、指紋読取手段１３が気体注入排出手段１２３に指先加圧手段１２１の軟性部材１２４から気体を排出させる制御信号を送信する。これに応じて、気体注入排出手段１２３が軟性部材１２４内の空気を排出する（ステップＳ７）。これにより、指１００が壁穴２００から抜ける状態になる。この後、指紋読取手段１３が読み取った指紋の画像データをデータ処理装置１４に送信し、これを受信したデータ処理装置１４が当該指紋データ（及び入室データ等）を保存して（ステップＳ８）、処理を終了する。
【００２７】
図４は、本発明の指紋読取装置（生体情報読取装置）の構成の他の一例を示す図である。この例の指紋読取装置１０は、図１及び図２の指紋読取装置１０の構成に加えて、圧力測定手段１６を備える。圧力測定手段１６は、指載置位置２２の下方に設置され、指先加圧手段１２１によって下方に押しつけられた指１００の第１関節より先の部分による圧力を測定する。即ち、指１００が指紋読取手段１３に押しつけられる圧力を計測する。圧力測定手段１６は、例えば周知の圧力センサからなる。
【００２８】
この例では、軟性部材１２４の内圧を計測する代わりに、圧力測定手段１６が、指１００が指紋読取手段１３に押しつけられる圧力を計測する。気体注入排出手段１２３は、一定の圧力が指紋読取手段１３に加えられるまで、軟性部材１２４内に気体を注入する。そして、圧力測定手段１６は、指１００が指紋読取手段１３に押しつけられる圧力が予め定められた圧力に達したことを検出した場合、その旨を通知する制御信号を気体注入排出手段１２３及び指紋読取手段１３に送信する。注入手段である気体注入排出手段１２３は、当該制御信号を受信した場合、即ち、圧力測定手段１６により指１００の第１関節より先の部分による圧力が予め定められた圧力に達したことが測定された場合、指先加圧手段１２１の軟性部材１２４の内部への気体（又は液体）の注入を停止する。また、指紋読取手段１３は指紋を読み取る。
【００２９】
従って、この例では、被験者の指１００が指紋読取装置１０の筐体２０の壁穴２００に挿入され指載置位置２２に置かれると、指認識手段１１が指１００を認識し、気体注入排出手段１２３が軟性部材１２４の内部に気体を注入する。これにより、膨張した軟性部材１２４によって指１００を指紋読取手段１３に押しつける。指載置位置２２への圧力を監視していた圧力測定手段１６が当該圧力を判断し、所定の値に達したらこれを気体注入排出手段１２３に通知する。これに応じて、気体注入排出手段１２３が気体の注入を中止し、指紋読取手段１３が指紋を読み取る。
【００３０】
図５は、本発明の指紋読取装置（生体情報読取装置）の構成の他の一例を示す図である。この例の指紋読取装置１０は、図４の指紋読取装置１０の構成において、内圧測定・気体注入排出部１２を省略し、これに伴って指先加圧手段の構成を変更する。即ち、実際の加圧手段として、軟性部材１２４を気体の注入により膨張させることに代えて、（予め気体等が注入されている密閉された）軟性部材１２４’を用いる。この例の指先加圧手段は、支え板２１’、支え板制御手段１７、圧力測定手段１６とを備える。
【００３１】
圧力測定手段１６は、図４と同様に、指載置位置２２の下方に設置され、当該指先加圧手段によって下方に押しつけられた指１００の第１関節より先の部分による圧力を測定する。即ち、指１００が指紋読取手段１３に押しつけられる圧力を計測する。圧力測定手段１６は、図４と同様に、指１００が指紋読取手段１３に押しつけられる圧力が予め定められた圧力に達したことを検出した場合、その旨を通知する制御信号を支え板制御手段１７及び指紋読取手段１３に送信する。
【００３２】
支え板２１’は、筐体２０と内部のガイドレール２０’とに沿って上下方向に移動（摺動）可能に設けられ、内圧を予め定められた圧力とされた軟性部材１２４’を、その下方に接着剤等により取り付けられる。軟性部材１２４’は、図２の軟性部材１２４と同様であるが、前述のように、その内部に気体が予め注入されている。
【００３３】
支え板制御手段１７は、支え板２１’の上下方向の位置を制御し、指認識手段１１により指１００の指載置位置２２への載置が認識された場合、支え板２１’を垂直方向に押し下げる。このために、支え板制御手段１７は、例えば周知のモータ、ギア、モータ駆動回路からなる。支え板制御手段１７は、前記制御信号を受信した場合、即ち、圧力測定手段１６により指１００の第１関節より先の部分による圧力が予め定められた圧力に達したことが測定された場合、支え板２１’の垂直方向への押し下げを停止する。
【００３４】
従って、この例では、被験者の指１００が指紋読取装置１０の筐体２０の壁穴２００に挿入され指載置位置２２に置かれると、指認識手段１１が指１００を認識し、支え板制御手段１７が支え板２１’を上から下へ移動させる。これにより、支え板２１’の下側の軟性部材１２４’によって指１００を指紋読取手段１３に押しつける。指載置位置２２への圧力を監視していた圧力測定手段１６が当該圧力を判断し、所定の値に達したらこれを支え板制御手段１７に通知する。これに応じて、支え板制御手段１７が支え板２１’の下降を停止させ、指紋読取手段１３が指紋を読取る。
【００３５】
以上、本発明をその実施の形態に従って説明したが、本発明は、その主旨の範囲内において種々の変形が可能である。例えば、読み取る生体情報は、指紋（の画像）に限られず、指先の静脈の画像等であっても良い。また、生体情報の読取は、指腹に光を照射してその反射光を読み取る他に、指１００の爪の側から指に光を照射してその透過光を読み取っても良い。
【産業上の利用可能性】
【００３６】
本発明によれば、指紋読取装置等の生体情報読取装置において、指紋等の生体情報を読み取る対象となる指先（第１関節から先）が確実に固定され、かつ、読取に十分な圧力を加えることができるので、指先が動かないようにすることができ、かつ、読取に適切な圧力を加えることができる。従って、被験者が意識しなくても、その指先を一定の姿勢で固定させ、一定の圧力で押し下げさせることができる。この結果、指紋等の生体情報の検出時間を短くすることができ、生体情報の読取エラーを減らすことができる。
【図面の簡単な説明】
【００３７】
【図１】本発明の生体情報読取装置の構成の一例を示す図である。
【図２】本発明の生体情報読取装置の構成例を示す図である。
【図３】本発明の生体情報読取処理フローの一例を示す図である。
【図４】本発明の生体情報読取装置の構成の他の例を示す図である。
【図５】本発明の生体情報読取装置の構成の他の例を示す図である。
【図６】生体情報読取についての説明図である。
【符号の説明】
【００３８】
１０  指紋読取装置
１１  指認識手段
１２  内圧測定・気体注入排出部
１３  指紋読取手段
１４  データ処理装置
２０  指紋読取装置の筐体
２１  支え板
１２１  指先加圧手段
１２２  内圧測定手段
１２３  気体注入排出手段
１２４  軟性部材
２００  壁穴  
【図１】
2005099992.tif 000003
【図２】
2005099992.tif 000004
【図３】
2005099992.tif 000005
【図４】
2005099992.tif 000006
【図５】
2005099992.tif 000007
【図６】
2005099992.tif 000008